(57)【要約】【課題】キャップ脱落防止部材の保持力の耐久性を向上させることができること。【解決手段】キャップ脱落防止部材１０は、プラスチック材料で作られ、櫛歯状部１０Ａ１、および、櫛歯状部１０Ａ２の約半分が、それぞれ、折り曲げ線１０ａ１，１０ａ２で連結部１０Ｂに向けて折り曲げられ、その結果、折り重ねられた櫛歯状部１０Ａ１、および、１０Ａ２は、所定の弾性力を有し、加工後のキャップ脱落防止部材１０″における櫛歯状部１０″Ａ１、１０″Ｂ１、１０″Ａ２、１０″Ｂ２の表面と容器本体１４の外周面との間の摩擦力により、キャップ１２が容器本体１４に対し摺動可能に保持されるもの。【選択図】図２
2018020223.tif 000002
【特許請求の範囲】
【請求項１】
容器本体の外周面に選択的に摺動可能に嵌合されるキャップの内周面に当接され、該内周面の円周方向に沿ってプラスチック材料で形成される少なくとも一つの櫛歯状部と、
前記キャップの内周面に固定され、前記櫛歯状部と交わるように該櫛歯状部の基端を連結する連結部と、
を具備して構成されるキャップ脱落防止部材。
【請求項２】
前記内周面の円周方向に沿って形成される少なくとも一つの櫛歯状部が、前記連結部に向けて折り返されて形成されることにより、弾性力を有することを特徴とする請求項１記載のキャップ脱落防止部材。
【請求項３】
所定の間隔をもって前記内周面の円周方向に沿って形成される少なくとも二つ以上の櫛歯状部が、前記連結部に向けて折り返されて形成されることにより、弾性力を有することを特徴とする請求項１記載のキャップ脱落防止部材。
【請求項４】
少なくとも二つ以上の櫛歯状部は、それぞれ、所定の間隔と等しい略同一の幅を有することを特徴とする請求項３記載のキャップ脱落防止部材。
【請求項５】
前記少なくとも二つ以上の櫛歯状部における前記連結部から突出する長さは、それぞれ、前記キャップと前記容器本体との嵌合長さに比して小に設定されていることを特徴とする請求項４記載のキャップ脱落防止部材。
【請求項６】
前記少なくとも一つの櫛歯状部と、前記連結部とが、プラスチック材料で一体に形成され、該プラスチック材料は、アルミニウム製蒸着層が一方の表層に形成されることを特徴とする請求項１記載のキャップ脱落防止部材。
【請求項７】
化粧用ブラシを選択的に突出可能に収容する容器本体と、
前記容器本体に対し着脱可能とされ、前記化粧用ブラシが収容された前記容器本体を覆うキャップと、
前記容器本体の外周面に摺動可能に嵌合される前記キャップの内周面に当接され、該内周面の円周方向に沿ってプラスチック材料で形成される少なくとも一つの櫛歯状部と、前記キャップの内周面に固定され、前記櫛歯状部と交わるように該櫛歯状部の基端を連結する連結部と、を備えるキャップ脱落防止部材と、
を具備して構成されるキャップ脱落防止部材を備える化粧ブラシ用容器。
【請求項８】
前記少なくとも一つの櫛歯状部が、前記連結部に向けて折り返されて形成されることにより、弾性力を有することを特徴とする請求項７記載のキャップ脱落防止部材を備える化粧ブラシ用容器。
【請求項９】
少なくとも二つ以上の櫛歯状部が、前記連結部に向けて折り返されて形成されることにより、弾性力を有することを特徴とする請求項７記載のキャップ脱落防止部材を備える化粧ブラシ用容器。
【請求項１０】
化粧用ブラシと、
前記化粧用ブラシを選択的に突出可能に収容する容器本体と、前記容器本体に対し着脱可能とされ、前記化粧用ブラシが収容された前記容器本体を覆うキャップと、前記容器本体の外周面に摺動可能に嵌合される前記キャップの内周面に当接され、該内周面の円周方向に沿ってプラスチック材料で形成される少なくとも一つの櫛歯状部と、前記キャップの内周面に固定され、前記櫛歯状部と交わるように該櫛歯状部の基端を連結する連結部と、を備えるキャップ脱落防止部材と、を含んでなる収容容器と、
を具備して構成される収容容器を備える化粧用ブラシ。
【請求項１１】
前記少なくとも一つの櫛歯状部が、前記連結部に向けて折り返されて形成されることにより、弾性力を有することを特徴とする請求項１０記載の収容容器を備える化粧用ブラシ。
【請求項１２】
少なくとも二つ以上の櫛歯状部が、前記連結部に向けて折り返されて形成されることにより、弾性力を有することを特徴とする請求項１０記載の収容容器を備える化粧用ブラシ。
【請求項１３】
前記容器本体は、化粧用ブラシに連結される操作ピンを移動可能に案内する案内溝を有するとともに、該案内溝に連通し該操作ピンを係止する係止溝を有することを特徴とする請求項１０記載の収容容器を備える化粧用ブラシ。
【発明の詳細な説明】
【技術分野】
【０００１】
本発明は、キャップ脱落防止部材、それを備える化粧ブラシ用容器、および、収容容器を備える化粧用ブラシに関する。
【背景技術】
【０００２】
化粧品を塗布するために使用される化粧用ブラシは、通常、束ねられた毛からなる穂部と、柄部と、穂部と柄部とを連結する口金部とから構成されている。また、化粧用ブラシの穂部は、例えば、特許文献１にも示されるように、化粧ブラシ用収容容器内に収容される場合がある。そのような化粧ブラシ用収容容器は、化粧用ブラシを収容する容器本体と、容器本体に対し摺動可能に配され化粧用ブラシおよび容器本体を覆う円筒状のキャップと、キャップの内周部と容器本体の外周部との間に配されるキャップ脱落防止部材とを備えて構成される。キャップ脱落防止部材は、容器本体に嵌合されたキャップが脱落しないようにキャップと容器本体との間に保持力をもたらすものとされる。キャップ脱落防止部材は、薄い弾性プラスチックシートで作られ円周方向に所定の間隔をもって複数の切れ目を有している。各切れ目は、キャップの中心軸線に沿って中央部に所定の長さだけ延びている。キャップ脱落防止部材が円筒状に曲げられキャップの内周部に挿入される場合、切れ目により区画された部分は、平板状となりキャップの中心方向に突出することとなる。これにより、キャップの内周部が容器本体の外周部に摺動可能に嵌合されるとき、キャップ脱落防止部材における切れ目により区画された部分と容器本体の外周部との間の保持力としての摩擦力が、キャップを容器本体に対し保持することとなる。
【先行技術文献】
【特許文献】
【０００３】
【特許文献１】特許第５４３７７４６号公報
【発明の概要】
【発明が解決しようとする課題】
【０００４】
上述の特許文献１に示されるように、キャップおよび容器本体相互間に生じる保持力は、キャップ脱落防止部材における切れ目により区画された部分と容器本体の外周部との間の比較的小さな接触面積に応じた摩擦力に基づくものなので容器本体がキャップに対し繰り返し挿抜された場合、その繰り返し頻度に応じてプラスチックシートで作られた区画された部分が弱くなり、容器本体を引き抜く強度（保持力）が低下する虞がある。従って、そのような繰り返しの使用により、キャップ脱落防止部材が役立たなくなり、キャップおよび容器本体が互いに容易に離脱する場合がある。
【０００５】
以上の問題点を考慮し、本発明は、キャップ脱落防止部材、それを備える化粧ブラシ用容器、および、収容容器を備える化粧用ブラシであって、キャップ脱落防止部材の保持力の耐久性を向上させることができるキャップ脱落防止部材、それを備える化粧ブラシ用容器、および、収容容器を備える化粧用ブラシを提供することを目的とする。
【課題を解決するための手段】
【０００６】
上述の目的を達成するために、本発明に係るキャップ脱落防止部材は、容器本体の外周面に選択的に摺動可能に嵌合されるキャップの内周面に当接され、内周面の円周方向に沿ってプラスチック材料で形成される少なくとも一つの櫛歯状部と、キャップの内周面に固定され、櫛歯状部と交わるように櫛歯状部の基端を連結する連結部と、を備えて構成される。
【０００７】
内周面の円周方向に沿って形成される少なくとも一つの櫛歯状部が、連結部に向けて折り返されて形成されることにより、弾性力を有するものでもよく、また、所定の間隔をもって内周面の円周方向に沿って形成される少なくとも二つ以上の櫛歯状部が、連結部に向けて折り返されて形成されることにより、弾性力を有するものでもよい。また、少なくとも二つ以上の櫛歯状部は、それぞれ、間隔と等しい略同一の幅を有するものでもよい。少なくとも二つ以上の櫛歯状部における連結部から突出する長さは、それぞれ、キャップと容器本体との嵌合長さに比して小に設定されてもよい。少なくとも一つの櫛歯状部と、連結部とが、プラスチック材料で一体に形成され、プラスチック材料は、アルミニウム製蒸着層が一方の表層に形成されてもよい。
【０００８】
本発明に係る化粧ブラシ用容器は、化粧用ブラシを選択的に突出可能に収容する容器本体と、容器本体に対し着脱可能とされ、化粧用ブラシが収容された容器本体を覆うキャップと、容器本体の外周面に摺動可能に嵌合されるキャップの内周面に当接され、内周面の円周方向に沿ってプラスチック材料で形成される少なくとも一つの櫛歯状部と、キャップの内周面に固定され、櫛歯状部と交わるように櫛歯状部の基端を連結する連結部と、を備えるキャップ脱落防止部材と、を備えて構成される。
【０００９】
少なくとも二つ以上の櫛歯状部が、連結部に向けて折り返されて形成されることにより、弾性力を有するものでもよい。
【００１０】
さらに、本発明に係る収容容器を備える化粧用ブラシは、化粧用ブラシと、化粧用ブラシを選択的に突出可能に収容する容器本体と、容器本体に対し着脱可能とされ、化粧用ブラシが収容された容器本体を覆うキャップと、容器本体の外周面に摺動可能に嵌合されるキャップの内周面に当接され、内周面の円周方向に沿ってプラスチック材料で形成される少なくとも一つの櫛歯状部と、キャップの内周面に固定され、櫛歯状部と交わるように複数の各櫛歯状部の基端を連結する連結部と、を備えるキャップ脱落防止部材と、を含んでなる収容容器と、を備えて構成される。少なくとも一つ、または、少なくとも二つ以上の櫛歯状部が、連結部に向けて折り返されて形成されることにより、弾性力を有するものでもよい。容器本体は、化粧用ブラシに連結される操作ピンを移動可能に案内する案内溝を有するとともに、案内溝に連通し操作ピンを係止する係止溝を有するものでもよい。
【発明の効果】
【００１１】
本発明に係るキャップ脱落防止部材、それを備える化粧ブラシ用容器、および、収容容器を備える化粧用ブラシによれば、キャップ脱落防止部材が、内周面の円周方向に沿ってプラスチック材料で形成される少なくとも一つの櫛歯状部を有し、櫛歯状部の表面と容器本体の外周面との間の摩擦力によりキャップが容器本体に対し保持されるのでキャップ脱落防止部材の保持力の耐久性を向上させることができる。
【図面の簡単な説明】
【００１２】
【図１】本発明に係るキャップ脱落防止部材の一例を展開して示す平面図である。
【図２】本発明に係る化粧ブラシ用容器、および、収容容器を備える化粧用ブラシの一例の全体の外観を示す正面図である。
【図３】図２に示される化粧ブラシ用容器において、化粧用ブラシが外部に突出するとともにキャップが容器本体に取り付けられた状態を示す正面図である。
【図４】（Ａ）、（Ｂ）、（Ｃ）、（Ｄ）は、それぞれ、キャップ脱落防止部材の加工工程の説明に供される図である。
【図５】キャップ脱落防止部材のキャップへの装着工程の説明に供される斜視図である。
【図６】図２に示される化粧ブラシ用容器において、キャップ脱落防止部材がキャップ内に固定された状態を示す斜視図である。
【図７】本発明に係るキャップ脱落防止部材の他の一例を展開して示す平面図である。
【発明を実施するための形態】
【００１３】
図２は、本発明に係るキャップ脱落防止部材を備える化粧ブラシ用容器の一例の外観を示す。
【００１４】
化粧ブラシ用容器は、化粧用ブラシ１８の一部を選択的に外部に突出し、また、化粧用ブラシ１８の全体を収容する容器本体１４と、容器本体１４の外周部に嵌め合わされるキャップ１２と、キャップ１２の内周面と容器本体１４の外周面との間に配されるキャップ脱落防止部材１０″とを備えている。
【００１５】
化粧用ブラシ１８は、例えば、チークブラシ、フェイスブラシ、アイシャドーブラシ、リップブラシ等として使用可能とされる。化粧用ブラシ１８は、束ねられた毛からなる穂部と、後述する操作ピン１６と穂部の基端部に設けられる口金部とを連結する樹脂製の連結部（不図示）とから構成されている。穂部の最先端部は、図３に示されるように、略球面状に形成されている。穂部は、所定の毛量を有し複数本の毛が束ねられたものとされる。毛は、例えば、獣毛、合成繊維、混毛の一群のうちから選択された材料で作られても良い。獣毛としては、馬、イタチ、リス、山羊、狸、牛、羊、兎、狐、豚、猪、むささびの一群のうちから選択されたいずれかの毛、あるいは、いずれかの毛が組み合わされたものであってもよい。合成繊維は、ポリブチレンテレフタレート、ナイロン等で作られても良い。
【００１６】
容器本体１４は、例えば、アルミニウム合金で円筒状に作られている。容器本体１４の内周面および外周面は、アルマイト処理されている。容器本体１４は、一端に開口端部を有するとともに、他端に閉塞端部を有する。容器本体１４の円筒状部の中央部には、操作ピン１６を移動可能に案内する溝１４Ｇが中心軸線方向に沿って所定の長さだけ延びている。その溝１４Ｇは、容器本体１４の内周面と外周面との間を貫通している。容器本体１４の開口端部に近い溝１４Ｇの一端には、溝１４Ｇに連なり円周方向に沿って一方向に折れ曲がる切欠部１４Ｇａが形成されている。閉端部を有する切欠部１４Ｇａには、図３に示されるように、化粧用ブラシ１８の穂部が容器本体１４から突出した場合、操作ピン１６が回転され係合される。これにより、化粧用ブラシ１８の使用の際、化粧用ブラシ１８の穂部が、円筒状部の端部から突出した状態で保持されることとなる。
【００１７】
頭部を他端に有する操作ピン１６の一端は、その溝１４Ｇを介して容器本体１４内の化粧用ブラシ１８の連結部に連結されている。操作ピン１６の頭部は、操作ピン１６の一端の直径よりも大なる直径を有し、容器本体１４の外周面から突出している。これにより、キャップ１２が容器本体１４から取り外されている場合、図３に示されるように、操作ピン１６の頭部が開口端部に向けて押され移動されることにより、化粧用ブラシ１８の穂部が容器本体１４の開口端部から突出されることとなる。その際、キャップ１２が、図３に示されるように、容器本体１４の円筒状部における操作ピン１６の頭部近傍から容器本体１４の閉塞端部までの部分を覆うように嵌合されてもよい。また、操作ピン１６の頭部が容器本体１４の閉塞端部に向けて押され移動されることにより、図２に示されるように、化粧用ブラシ１８全体が容器本体１４内に収容される。
【００１８】
なお、容器本体１４は、斯かる例に限られることなく、例えば、樹脂材料で作られてもよく、あるいは、真鍮で作られメッキ処理されたものであってもよい。
【００１９】
キャップ１２は、容器本体１４の円筒状部における開口端部から後述する操作ピン１６の位置近傍までを覆うものとされる。キャップ１２は、例えば、アルミニウム合金で円筒状に作られている。キャップ１２の内周面および外周面は、アルマイト処理されている。キャップ１２は、一端に開口端部を有するとともに、他端に閉塞端部を有する。キャップ１２の内周部における開口端部近傍には、キャップ脱落防止部材１０″が接着されている。
【００２０】
キャップ脱落防止部材１０″は、例えば、厚さ０．０９ｍｍのプラスチック製フィルム、好ましくは、ポリエチレンテレフタレート（ＰＥＴ）のフィルムで作られている。キャップ脱落防止部材１０″の一方の表面には、所定の膜厚のアルミニウム層が蒸着されている。なお、キャップ脱落防止部材１０″は、斯かる例に限られることなく、例えば、所定の厚さのポリ塩化ビニル樹脂、ポリプロピレン、ポリエチレン等の他の材料のフィルムで作られても良い。
【００２１】
加工前のキャップ脱落防止部材１０は、図１に示されるように、所定の間隔をもって互いに平行に形成される帯状の櫛歯状部１０Ａ１、１０Ｂ１、１０Ａ２、１０Ｂ２と、櫛歯状部１０Ａ１、１０Ｂ１、１０Ａ２、１０Ｂ２の基端を連結する連結部１０Ｂとから構成されている。なお、図１は、所定の膜厚のアルミニウム層が蒸着されたポリエチレンテレフタレート（ＰＥＴ）のフィルムから打ち抜かれ得られた加工前のキャップ脱落防止部材１０を展開した状態で示す。
【００２２】
櫛歯状部１０Ａ１、１０Ｂ１、１０Ａ２、１０Ｂ２は、それぞれ、連結部１０Ｂに対し略垂直になるように連結部１０Ｂと一体に形成されている。櫛歯状部１０Ａ１、１０Ｂ１、１０Ａ２、１０Ｂ２相互間には、それぞれ、櫛歯状部１０Ａ１の幅に対応した幅を有する隙間１０Ｃが形成されている。櫛歯状部１０Ａ１、および、１０Ａ２は、互いに同一の幅および長さを有し、櫛歯状部１０Ｂ１、および、１０Ｂ２は、互いに同一の幅および長さを有している。櫛歯状部１０Ａ１の幅は、櫛歯状部１０Ｂ１の幅と同一に設定されている。櫛歯状部１０Ａ１の連結部１０Ｂから突出する長さは、対応する櫛歯状部１０Ｂ１の長さに比して大に設定されており、しかも、キャップ１２と容器本体１４との嵌合長さに比して小に設定されている。
【００２３】
櫛歯状部１０Ａ１、および、１０Ａ２の約半分は、後述する図４（Ｃ）および図５に示されるように、それぞれ、折り曲げ線１０ａ１，１０ａ２で連結部１０Ｂに向けて折り曲げられる。折り曲げ線１０ａ１，１０ａ２の位置は、櫛歯状部１０Ｂ１および１０Ｂ２の先端の位置に対応している。そして、櫛歯状部１０Ａ１、および、１０Ａ２の先端部の一部が、連結部１０Ｂに重ねられ、連結部１０Ｂに形成される接着層ＡＤに接着される。これにより、折り重ねられた櫛歯状部１０Ａ１、および、１０Ａ２は、所定の弾性力を有することとなる。従って、容器本体１４が、図２に示されるように、キャップ１２の内周部に対し嵌合される場合、櫛歯状部１０Ａ１、および、１０Ａ２は、所定の押圧力をもって容器本体１４の外周面に当接される。
【００２４】
連結部１０Ｂにおける櫛歯状部１０Ａ１〜１０Ｂ２の配列方向の長さは、キャップ１２の内周部の円周の長さよりも小に設定されている。
【００２５】
加工されたキャップ脱落防止部材１０″をキャップ１２内に接着するにあたっては、先ず、図４（Ａ）に示されるように、所定の膜厚のアルミニウム層が蒸着されたポリエチレンテレフタレート（ＰＥＴ）のフィルムから打ち抜かれ得られたキャップ脱落防止部材１０の連結部１０Ｂに、図４（Ｂ）に示されるように、所定量の接着剤が塗布される。これにより、接着層ＡＤが連結部１０´Ｂに形成されたキャップ脱落防止部材１０´が得られる。その際、キャップ脱落防止部材１０´は、所定の間隔をもって互いに平行に形成される帯状の櫛歯状部１０´Ａ１、１０´Ｂ１、１０´Ａ２、１０´Ｂ２と、櫛歯状部１０´Ａ１、１０´Ｂ１、１０´Ａ２、１０´Ｂ２の基端を連結する連結部１０´Ｂとから構成されている。次に、図４（Ｃ）に示されるように、櫛歯状部１０´Ａ１、および、１０´Ａ２の約半分は、それぞれ、上述の折り曲げ線で連結部１０´Ｂに向けて折り曲げられる。これにより、櫛歯状部１０´Ａ１、および、１０´Ａ２の先端部の一部が、連結部１０´Ｂの接着層ＡＤに重ねられ、接着される。これにより、互いに同一の長さの櫛歯状部１０″Ａ１、１０″Ｂ１、１０″Ａ２、１０″Ｂ２を有するキャップ脱落防止部材１０″が得られる。続いて、櫛歯状部１０″Ａ１、および、１０″Ａ２が折り重ねられたキャップ脱落防止部材１０″が、図４（Ｄ）の矢印に示されるように、櫛歯状部１０″Ｂ２と櫛歯状部１０″Ａ１とを互いに近接させるように、筒状に丸められる。そして、図５における矢印の示す方向に沿って櫛歯状部１０″Ａ１、１０″Ｂ１、１０″Ａ２、１０″Ｂ２側からキャップ脱落防止部材１０″がキャップ１２内に挿入され、連結部１０″Ｂの接着層ＡＤがキャップ１２の内周面に接着される。これにより、図６に示されるように、キャップ脱落防止部材１０″の連結部１０″Ｂが、キャップ１２の開口端の内周面に倣って接着されることとなる。
【００２６】
斯かる構成において、キャップ脱落防止部材１０″が内周部に接着されたキャップ１２が、化粧用ブラシ１８全体が収容された容器本体１４に装着される場合、キャップ脱落防止部材１０″における櫛歯状部１０″Ａ１、１０″Ｂ１、１０″Ａ２、１０″Ｂ２の表面と容器本体１４の外周面との間の摩擦力により、キャップ１２が容器本体１４に対し摺動可能に保持されることとなる。その際、櫛歯状部１０″Ａ１および１０″Ａ２の弾性力に起因したキャップ１２の半径方向に沿った押圧力が、容器本体１４の外周面を傷つけることなく、容器本体１４の外周面に作用することとなる。従って、キャップ脱落防止部材１０″の厚さ、および、キャップ脱落防止部材１０″の表面と容器本体１４の外周面との隙間等を変更することなく、キャップ脱落防止部材１０″の保持力の耐久性が向上することとなる。
【００２７】
なお、上述の例においては、キャップ脱落防止部材１０″における櫛歯状部の本数は、４本とされるが、斯かる例に限られることなく、例えば、櫛歯状部の本数が、キャップ１２の内径および容器本体１４の外径に応じて３本以下、または、５本以上に設定されてもよい。即ち、キャップ脱落防止部材１０″における櫛歯状部の本数、櫛歯状部の折り曲げ線の位置、および、折り曲げられる櫛歯状部の本数を変更することにより、キャップ脱落防止部材１０″の保持力を調整することも可能とされる。
【００２８】
図７は、本発明に係るキャップ脱落防止部材の他の一例を示す。
【００２９】
キャップ脱落防止部材２０は、例えば、厚さ０．０９ｍｍのプラスチック製フィルム、好ましくは、ポリエチレンテレフタレート（ＰＥＴ）のフィルムで作られている。キャップ脱落防止部材２０の一方の表面には、所定の膜厚のアルミニウム層が蒸着されている。なお、キャップ脱落防止部材２０は、斯かる例に限られることなく、例えば、所定の厚さのポリ塩化ビニル樹脂、ポリプロピレン、ポリエチレン等の他の材料のフィルムで作られても良い。
【００３０】
キャップ脱落防止部材２０は、所定の間隔をもって互いに平行に形成される帯状の櫛歯状部２０Ａ１、２０Ａ２、２０Ａ３、および、２０Ａ４と、櫛歯状部２０Ａ１、２０Ａ２、２０Ａ３、および、２０Ａ４の基端を連結する連結部２０Ｂとから構成されている。なお、図７は、所定の膜厚のアルミニウム層が蒸着されたポリエチレンテレフタレート（ＰＥＴ）のフィルムから打ち抜かれ得られたキャップ脱落防止部材２０を展開した状態で示す。
【００３１】
櫛歯状部２０Ａ１、２０Ａ２、２０Ａ３、および、２０Ａ４は、それぞれ、連結部２０Ｂに対し略垂直になるように連結部２０Ｂと一体に形成されている。櫛歯状部２０Ａ１、２０Ａ２、２０Ａ３、および、２０Ａ４相互間には、それぞれ、櫛歯状部２０Ａ１の幅に対応した幅を有する隙間２０Ｃが形成されている。櫛歯状部２０Ａ１〜２０Ａ４は、互いに同一の幅および長さを有している。櫛歯状部２０Ａ１の連結部２０Ｂから突出する長さは、キャップ１２と容器本体１４との嵌合長さに比して小に設定されている。
【００３２】
従って、容器本体１４が、キャップ１２の内周部に対し嵌合される場合、櫛歯状部２０Ａ１〜２０Ａ４は、所定の摩擦力をもって容器本体１４の外周面に当接される。連結部２０Ｂにおける櫛歯状部２０Ａ１〜２０Ａ４の配列方向の長さは、キャップ１２の内周部の円周の長さよりも小に設定されている。
【００３３】
斯かる構成において、キャップ脱落防止部材２０が内周部に接着されたキャップ１２が、化粧用ブラシ１８全体が収容された容器本体１４に装着される場合、キャップ脱落防止部材２０における櫛歯状部２０Ａ１〜２０Ａ４の表面と容器本体１４の外周面との間の所定の摩擦力により、キャップ１２が容器本体１４に対し摺動可能に保持されることとなる。
【符号の説明】
【００３４】
１０、１０´、１０″、２０    キャップ脱落防止部材
１０Ａ１、１０Ａ２、１０Ｂ１、１０Ｂ２    櫛歯状部
１８    化粧用ブラシ
２０Ａ１，２０Ａ２，２０Ａ３、２０Ａ４    櫛歯状部
１２    キャップ
１４    容器本体
【図１】
2018020223.tif 000003
【図２】
2018020223.tif 000004
【図３】
2018020223.tif 000005
【図４】
2018020223.tif 000006
【図５】
2018020223.tif 000007
【図６】
2018020223.tif 000008
【図７】
2018020223.tif 000009